(57)【要約】【課題】  ノイズ混入による障害に対しても現用回線及び予備回線の切り替え動作を行うことが可能なアナログ音声用チェンジオーバ装置を提供する。【解決手段】  アナログ音声用チェンジオーバ装置は、差分回路１８，２７において入力された２つの音声信号の差分信号をとり、ノイズ検出器１９，２８において２つの音声信号の伝送途中で混入したノイズを抽出し、ノイズパターンマッチング部２９においてそのノイズのパターンを予め登録されたノイズパターンとを比較して前記差分信号がノイズか否かを判断する。【選択図】      図１
2010193117.tif 000002
【特許請求の範囲】
【請求項１】
入力された２つの音声信号の差分信号をとって前記２つの音声信号の伝送途中で混入したノイズを抽出し、そのノイズのパターンを予め登録されたノイズパターンとを比較して前記差分信号がノイズか否かを判断することを特徴とするアナログ音声用チェンジオーバ装置。
【請求項２】
２つのアナログ音声信号入力と、１つあるいは複数のアナログ音声出力とを有し、２つの入力信号のうち片方を選択して出力する選択手段と、
入力された２つの音声信号の波形相関をとることで、現用信号と予備信号との間の位相差を検出し、遅延補償を行う遅延補償手段と、
前記現用信号及び前記予備信号に遅延補償を行い、相互の差分をとる差分算出手段と、
前記差分算出手段の差分信号の中から伝送路で生じた可能性のあるノイズ成分を抽出する抽出手段と、
発生が想定されるノイズパターンを登録したデータベースと、前記差分信号と前記データベースのノイズパターンとを比較して前記抽出手段で抽出した信号がノイズかどうかを判断するノイズ検出手段と、
ノイズ成分と前記現用信号及び前記予備信号の双方との相関をとり、前記ノイズが前記現用信号及び前記予備信号のどちらの信号に含まれていたかを推定する推定手段と、
現在出力されている信号にノイズがあると判断した場合にもう一方の入力信号に切り替える切り替え手段とを有することを特徴とするアナログ音声用チェンジオーバ装置。
【請求項３】
切り替え時に前記現用信号の回線と前記予備信号の回線との間の音声信号をクロスフェード処理することにより切り替え時のノイズを低減するクロスフェード手段を含むことを特徴とする請求項２記載のアナログ音声用チェンジオーバ装置。
【請求項４】
入力端子と出力端子との間にリレーを使用した迂回回路を配置することにより、回路の障害や不慮の事故による電源断が発生した場合でも、信号を継続して出力可能とする手段を含むことを特徴とする請求項２または請求項３記載のアナログ音声用チェンジオーバ装置。
【請求項５】
アナログ音声用チェンジオーバ装置において、入力された２つの音声信号の差分信号をとって前記２つの音声信号の伝送途中で混入したノイズを抽出し、そのノイズのパターンを予め登録されたノイズパターンとを比較して前記差分信号がノイズか否かを判断することを特徴とする現用予備切り替え方法。
【請求項６】
アナログ音声用チェンジオーバ装置が、
２つのアナログ音声信号入力と、１つあるいは複数のアナログ音声出力とを有し、２つの入力信号のうち片方を選択して出力する選択処理と、
入力された２つの音声信号の波形相関をとることで、現用信号と予備信号との間の位相差を検出し、遅延補償を行う遅延補償処理と、
前記現用信号及び前記予備信号に遅延補償を行い、相互の差分をとる差分算出処理と、
前記差分算出処理による差分信号の中から伝送路で生じた可能性のあるノイズ成分を抽出する抽出処理と、
発生が想定されるノイズパターンを登録したデータベースと、前記差分信号と前記データベースとを参照し、前記抽出処理で抽出した信号がノイズかどうかを判断するノイズ検出処理と、
ノイズ成分と前記現用信号及び前記予備信号の双方との相関をとり、前記ノイズが前記現用信号及び前記予備信号のどちらの信号に含まれていたかを推定する推定処理と、
現在出力されている信号にノイズがあると判断した場合にもう一方の入力信号に切り替える切り替え処理とを実行することを特徴とする現用予備切り替え方法。
【請求項７】
前記アナログ音声用チェンジオーバ装置が、切り替え時に前記現用信号の回線と前記予備信号の回線との間の音声信号をクロスフェード処理することにより切り替え時のノイズを低減するクロスフェード処理を実行することを特徴とする請求項６記載の現用予備切り替え方法。
【請求項８】
前記アナログ音声用チェンジオーバ装置が、入力端子と出力端子との間にリレーを使用した迂回回路を配置することにより、回路の障害や不慮の事故による電源断が発生した場合でも、信号を継続して出力可能とする処理を実行することを特徴とする請求項６または請求項７記載の現用予備切り替え方法。
【発明の詳細な説明】
【技術分野】
【０００１】
本発明はアナログ音声用チェンジオーバ装置及びそれに用いる現用予備切り替え方法に関し、特に放送局から信号が伝送される送信所における現用回線及び予備回線の切り替え方法に関する。
【背景技術】
【０００２】
ラジオ放送等の場合、放送局から送信所に信号が伝送されるが、送信所は無人の場合が多い。そのため、送信所における信号の伝送は、現用回線及び予備回線を使い、送信所内のアナログ音声チェンジオーバ装置（音声入力断検知型）で現用回線及び予備回線の自動切り替えを行っている。現用回線及び予備回線の使用については、下記の特許文献１に開示された技術がある。
【０００３】
しかしながら、機器障害等で音声信号にノイズが混入した場合は、現用回線及び予備回線の切り替えが行われない。その結果、障害に気が付かずに放送されてしまい、聴取者からの連絡によってノイズが発生していることに気が付くケースがある。
【０００４】
ノイズの検出も可能なアナログ音声チェンジオーバ装置が実現できれば、このようなケースについても現用回線及び予備回線の自動切り替えにより、障害の影響を最小限にとどめることが可能となる。
【先行技術文献】
【特許文献】
【０００５】
【特許文献１】特開２００５−２３５１３２号公報
【発明の概要】
【発明が解決しようとする課題】
【０００６】
本発明に関連するアナログ音声チェンジオーバ装置では、入力信号が断となった場合（規定の振幅レベル以下の状態が一定時間継続した場合）に入力断と判断し、現用回線及び予備回線の切り替え動作を行っている。
【０００７】
そのため、ノイズが混入するような障害が発生した場合は、現用回線及び予備回線の切り替えを行うことができない。つまり、伝送回線が切断された場合は、障害の発生を検出することができるので、現用回線及び予備回線の切り替えを行うことができる。しかしながら、機器故障等でノイズが混入した場合は、障害の発生を検出することが不可能であるので、現用回線及び予備回線の切り替えを行うことができない。
【０００８】
そこで、本発明の目的は上記の問題点を解消し、ノイズ混入による障害に対しても現用回線及び予備回線の切り替え動作を行うことができるアナログ音声用チェンジオーバ装置及びそれに用いる現用予備切り替え方法を提供することにある。
【課題を解決するための手段】
【０００９】
本発明によるアナログ音声用チェンジオーバ装置は、入力された２つの音声信号の差分信号をとって前記２つの音声信号の伝送途中で混入したノイズを抽出し、そのノイズのパターンを予め登録されたノイズパターンとを比較して前記差分信号がノイズか否かを判断している。
【００１０】
本発明による他のアナログ音声用チェンジオーバ装置は、
２つのアナログ音声信号入力と、１つあるいは複数のアナログ音声出力とを有し、２つの入力信号のうち片方を選択して出力する選択手段と、
入力された２つの音声信号の波形相関をとることで、現用信号と予備信号との間の位相差を検出し、遅延補償を行う遅延補償手段と、
前記現用信号及び前記予備信号に遅延補償を行い、相互の差分をとる差分算出手段と、
前記差分算出手段の差分信号の中から伝送路で生じた可能性のあるノイズ成分を抽出する抽出手段と、
発生が想定されるノイズパターンを登録したデータベースと、前記差分信号と前記データベースのノイズパターンとを比較して前記抽出手段で抽出した信号がノイズかどうかを判断するノイズ検出手段と、
ノイズ成分と前記現用信号及び前記予備信号の双方との相関をとり、前記ノイズが前記現用信号及び前記予備信号のどちらの信号に含まれていたかを推定する推定手段と、
現在出力されている信号にノイズがあると判断した場合にもう一方の入力信号に切り替える切り替え手段とを備えている。
【００１１】
本発明による現用予備切り替え方法は、
アナログ音声用チェンジオーバ装置において、入力された２つの音声信号の差分信号をとって前記２つの音声信号の伝送途中で混入したノイズを抽出し、そのノイズのパターンを予め登録されたノイズパターンとを比較して前記差分信号がノイズか否かを判断している。
【００１２】
本発明による現用予備切り替え方法は、
アナログ音声用チェンジオーバ装置が、
２つのアナログ音声信号入力と、１つあるいは複数のアナログ音声出力とを有し、２つの入力信号のうち片方を選択して出力する選択処理と、
入力された２つの音声信号の波形相関をとることで、現用信号と予備信号との間の位相差を検出し、遅延補償を行う遅延補償処理と、
前記現用信号及び前記予備信号に遅延補償を行い、相互の差分をとる差分算出処理と、
前記差分算出処理による差分信号の中から伝送路で生じた可能性のあるノイズ成分を抽出する抽出処理と、
発生が想定されるノイズパターンを登録したデータベースと、前記差分信号と前記データベースとを参照し、前記抽出処理で抽出した信号がノイズかどうかを判断するノイズ検出処理と、
ノイズ成分と前記現用信号及び前記予備信号の双方との相関をとり、前記ノイズが前記現用信号及び前記予備信号のどちらの信号に含まれていたかを推定する推定処理と、
現在出力されている信号にノイズがあると判断した場合にもう一方の入力信号に切り替える切り替え処理とを実行している。
【発明の効果】
【００１３】
本発明は、上記のような構成及び動作とすることで、ノイズ混入による障害に対しても現用回線及び予備回線の切り替え動作を行うことができるという効果が得られる。
【図面の簡単な説明】
【００１４】
【図１】本発明の実施の形態によるアナログ音声用チェンジオーバ装置の構成例を示すブロック図である。
【図２】本発明の実施の形態によるノイズ検出部の動作を示す図である。
【図３】本発明の実施の形態における５０Ｈｚ電源ノイズ混入時のノイズ検出動作例を示す図である。
【発明を実施するための形態】
【００１５】
次に、本発明の実施の形態について図面を参照して説明する。まず、本発明によるアナログ音声用チェンジオーバ装置の概要について説明する。
【００１６】
本発明によるアナログ音声用チェンジオーバ装置は、２つのアナログ音声信号入力と、１つあるいは複数のアナログ音声出力とを有し、２つの入力信号のうち片方を選択して出力する機能を有する。
【００１７】
本発明によるアナログ音声用チェンジオーバ装置は、入力された２つの音声信号（現用回線及び予備回線）の波形相関をとることで、現用信号と予備信号との間の位相差を検出し、遅延補償を行う機能を有する。
【００１８】
本発明によるアナログ音声用チェンジオーバ装置は、現用信号及び予備信号に遅延補償を行い、相互の差分をとる機能と、差分信号の中から伝送路で生じた可能性のあるノイズ成分を抽出する機能とを有する。
【００１９】
本発明によるアナログ音声用チェンジオーバ装置は、発生が想定されるノイズパターンを登録したデータベースと、差分信号とデータベースとを参照し、抽出された信号がノイズかどうかを判断する機能とを有する。
【００２０】
本発明によるアナログ音声用チェンジオーバ装置は、ノイズ成分と現用信号及び予備信号の双方との相関をとり、ノイズがどちらの信号に含まれていたかを推定する機能と、現在出力されている信号にノイズがあると判断した場合にもう一方の入力信号に切り替える機能とを有する。
【００２１】
本発明によるアナログ音声用チェンジオーバ装置は、切り替え時に現用回線と予備回線との間の音声信号をクロスフェード処理することにより、切替時のノイズを低減する機能を有する。
【００２２】
本発明によるアナログ音声用チェンジオーバ装置は、入力端子と出力端子との間にリレーを使用した迂回回路（緊急用のバイパス回路）を配置することにより、回路の障害や不慮の事故による電源断が発生した場合でも、信号を継続して出力できる機能を有する。
【００２３】
本発明によるアナログ音声用チェンジオーバ装置は、上記のような構成とし、入力された２つの音声信号（現用回線及び予備回線）の差分信号をとることで、伝送途中で混入したノイズを抽出し、さらにノイズパターンのデータベースと参照することにより、ノイズ検出精度を高めることができる。
【００２４】
図１は本発明の実施の形態によるアナログ音声用チェンジオーバ装置の構成例を示すブロック図である。図１において、本実施の形態では、アナログ音声信号としてステレオ音声［左チャンネル（以下、Ｌｃｈと記す）、右チャンネル（以下、Ｒｃｈと記す）］が現用系及び予備系の２系統として入力され、これらを切り替えて出力するアナログ音声用チェンジオーバ装置の構成を示している。
【００２５】
本発明の実施の形態によるアナログ音声用チェンジオーバ装置は、現用系及び予備系の２回線で信号を伝送することにより、信頼性の高い伝送システムを構築するために用いる装置である。
【００２６】
本実施の形態では、現用系及び予備系それぞれにＬｃｈ、Ｒｃｈがあり、入力信号の合計は４である。出力信号は、Ｌｃｈ、Ｒｃｈの２出力であり、通常は現用系の信号が出力されるように設定され、現用系の信号（ＲｃｈまたはＬｃｈ）にノイズが混入していると判断した場合に、予備系の信号（Ｒｃｈ及びＬｃｈ）を出力するように、これらの切り替えを行う。
【００２７】
次に、図１を参照して本発明の実施の形態によるアナログ音声用チェンジオーバ装置１の構成について説明する。図１において、アナログ音声用チェンジオーバ装置１は、バイパスリレー１１，２０，３３，３６と、振幅調整部１２，１５，２１，２４と、Ａ／Ｄ（アナログ／ディジタル）変換部１３，１６，２２，２５と、遅延調整部１４，１７，２３，２６と、差分回路１８，２７と、ノイズ検出器１９，２８と、ノイズパターンマッチング部２９と、チェンジオーバ制御部３０と、クロスフェード部３１，３４と、ケーブルドライバ３２，３５と、相関判定部３７，３８とを備えている。
【００２８】
現用系Ｌｃｈ入力１０１にて入力された音声信号は、バイパスリレー１１を経由して振幅調整部１２に入力される。予備系Ｌｃｈ入力１０２にて入力された音声信号は、振幅調整部１５に入力される。
【００２９】
現用系Ｒｃｈ入力１０３にて入力された音声信号は、バイパスリレー２０を経由して振幅調整部２１に入力される。予備系Ｌｃｈ入力１０４にて入力された音声信号は、振幅調整部２４に入力される。
【００３０】
振幅調整部１２，１５，２１，２４は、入力された音声信号の振幅を調整するために使用する。これは、アナログ音声信号が前段の装置からのケーブル長の違い（減衰、等）により、振幅のばらつきが発生するので、これを補正するために用いる。一般に、この調整作業は装置の設置時に行われる。
【００３１】
振幅調整部１２，１５の出力信号は、クロスフェード部３１に入力される。また、振幅調整部２１，２４の出力信号は、クロスフェード部３４に入力される。クロスフェード部３１，３４は、チェンジオーバ制御部３０の制御を受け、現用系または予備系の信号のいずれかを選択して出力する。
【００３２】
例えば、チェンジオーバ制御部３０が現用系をとる制御であれば、クロスフェード部３１は、振幅調整部１２の出力を選択し、クロスフェード部３４は、振幅調整部２１の出力を選択してそれぞれ出力する。
【００３３】
ここで、チェンジオーバ制御部３０が現用系→予備系への切り替え制御を出力すると、クロスフェード部３１は、振幅調整部１５の出力を選択し、クロスフェード部３４は、振幅調整部２４の出力を選択してそれぞれ出力する。また、この切り替え制御が発生した場合、クロスフェード部３１，３４は、切り替えによる音声ノイズを防止するため、２つの入力をミキシングしながら切り替えるクロスフェード処理を行う。
【００３４】
クロスフェード部３１の出力信号は、ケーブルドライバ３２、バイパスリレー３３を経由し、Ｌｃｈ出力２０１にて出力される。また、クロスフェード部３４の出力信号は、ケーブルドライバ３５、バイパスリレー３６を経由し、Ｒｃｈ出力２０２にて出力される。
【００３５】
次に、本発明の実施の形態におけるノイズ検出部の動作について説明する。まず、現用系Ｌｃｈ入力１０１、予備系Ｌｃｈ入力１０２の系統について説明する。
【００３６】
振幅調整部１２，１５から出力された信号は、Ａ／Ｄ変換部１３，１６でディジタル信号に変換される。Ａ／Ｄ変換部１３，１６の出力信号は、波形の相関が最大となるように遅延調整部１４，１７の遅延時間を調整する。
【００３７】
Ａ／Ｄ変換部１３，１６の出力信号は、現用系のＬｃｈ信号と予備系のＬｃｈ信号とをディジタル化したものであり、ノイズ、波形歪がない理想的な伝送信号であると仮定すれば、全く同じ信号波形である。従って、現用系のＬｃｈ信号と予備系のＬｃｈ信号との双方の相関が最大となるように遅延を調整することで、双方の信号の位相を一致させることができる。
【００３８】
また、同様に、Ａ／Ｄ変換部２２，２５の出力信号についても、波形の相関が最大となるように、遅延調整部２３，２６の遅延時間を調整する。上述したように、遅延調整部２３，２６の出力信号波形及び位相は一致しているので、差分回路２７で波形の差をとると、通常は０となる。しかし、現用系Ｌｃｈ入力、あるいは予備系Ｌｃｈ入力信号のいずれかにノイズや波形歪が発生した場合は、この成分が差分信号として出力される。
【００３９】
ノイズ検出器１９は、この差分信号の中から予め設定された閾値以上の振幅、あるいは電力を持った信号を検出し、この発生パターンをノイズパターンマッチング部２９で照合する。
【００４０】
ノイズパターンマッチング部２９は、発生可能性のあるノイズの発生パターンを記録したものであり、このパターンと差分信号から抽出された信号とが一致した場合、ノイズが発生したものと判断する。
【００４１】
しかしながら、差分信号からだけでは、ノイズが現用信号に発生したのか、予備信号に発生したのかが判断できない。そこで、ノイズ検出器１９の出力信号と遅延調整部１４，１７の出力信号との相関を求め、遅延調整部１４，１７の出力信号のうち、どちらの相関が高いかを相関判定部３７で判断する。相関判定部３７は、相関の高い方にノイズが混入したものと判断することができるので、この情報をノイズパターンマッチング部２９に出力する。
【００４２】
現用系Ｒｃｈ入力１０３、予備系Ｒｃｈ入力１０４の系統についても、上記の現用系Ｌｃｈ入力１０１、予備系Ｌｃｈ入力１０２の系統と同様の動作を行う。
【００４３】
振幅調整部２１，２４から出力された信号は、Ａ／Ｄ変換部２２，２５でディジタル信号に変換される。Ａ／Ｄ変換部２２，２５の出力信号は、波形の相関が最大となるように遅延調整部２３，３６の遅延時間を調整する。
【００４４】
Ａ／Ｄ変換部２２，２５の出力信号は、現用系のＲｃｈ信号と予備系のＲｃｈ信号とをディジタル化したものであり、ノイズ、波形歪がない理想的な伝送信号を伝送されてきた信号であると仮定すれば、全く同じ信号波形である。従って、現用系のＲｃｈ信号と予備系のＲｃｈ信号との双方の相関が最大となるように遅延を調整することで、双方の信号の位相を一致させることができる。
【００４５】
上述したように、遅延調整部２３，２６の信号波形及び位相は一致しているので、差分回路２７で波形の差をとると、通常は０となる。しかしながら、現用系Ｒｃｈ入力、あるいは予備系Ｒｃｈ入力信号のいずれかにノイズや波形歪が発生した場合を考えると、この成分が差分信号として出力される。
【００４６】
ノイズ検出器２８は、この差分信号の中から予め設定された閾値以上の振幅、あるいは電力を持った信号を検出し、この発生パターンをノイズパターンマッチング部２９で照合する。ノイズパターンマッチング部２９は、発生可能性のあるノイズの発生パターンを記録したものであり、このパターンと差分信号から抽出された信号とが一致した場合、ノイズが発生したものと判断する。
【００４７】
しかしながら、差分信号からだけでは、ノイズが現用信号に発生したのか、予備信号に発生したのかが判断できない。そこで、ノイズ検出器２８の出力信号と遅延調整部２３，２６の出力信号との相関を求め、遅延調整部２３，２６の出力信号のうち、どちらの相関が高いかを相関判定部３８で判断する。相関判定部３８は、相関の高い方にノイズが混入したものと判断することができるので、この情報をノイズパターンマッチング部２９に出力する。
【００４８】
ノイズパターンマッチング部２９は、現用系Ｌｃｈ、現用系Ｒｃｈ、予備系Ｌｃｈ、予備系Ｒｃｈでのノイズの発生有無の情報が入力されることにより、どの入力信号にノイズが発生したかを判断することが可能である。
【００４９】
もし、現在出力されている信号にノイズが検出された場合、ノイズパターンマッチング部２９は、チェンジオーバ制御部３０に対して出力を切り替えるよう制御を行う。切り替えの際は、クロスフェード部３１，３４が連動して動作する。また、ノイズパターンマッチング部２９は、現在出力されていない信号でノイズが検出された場合は、その状態を保持する。
【００５０】
本実施の形態では、これらの動作により、ノイズの発生を検知した自動切り替えを実現することができる。
【００５１】
また、本発明の実施の形態によるアナログ音声用チェンジオーバ装置１の異常や電源がＯＦＦとなった場合は、アナログ音声用チェンジオーバ装置１内の電気回路が停止してしまい、出力信号が止まってしまう。このような最悪の状態を回避するために、本発明の実施の形態によるアナログ音声用チェンジオーバ装置１は、リレーバイパス回路を装備しており、非常時には現用信号入力を出力端子から出力することができる。
【００５２】
図２は本発明の実施の形態によるノイズ検出部の動作を示す図である。図２を参照して本発明の実施の形態によるノイズ検出部の動作について説明する。
【００５３】
本発明の実施の形態によるアナログ音声用チェンジオーバ装置１が使用されるのは、高い信頼性を要求される伝送システムであり、伝送装置の故障や伝送路の障害が発生しても運用が継続できるよう、現用系と予備系との２回線を使用して信号伝送を行い、最終段のアナログ音声用チェンジオーバ装置１によって現用系と予備系とのいずれかの信号が選択される。
【００５４】
この時、伝送装置、あるいは伝送路において障害が発生すると、信号が断となったり、ノイズが混入する場合がある。ノイズが混入したかどうかは、現用系と予備系との間の差分をとることによって確認することが可能であるが、そのためには現用信号及び予備信号の遅延、振幅をそろえる必要がある。
【００５５】
この処理を行い、差分をとると、現用回線と予備回線とで全く同じ信号が伝送されていれば、その差分信号は０となる。しかしながら、片方の回線にノイズが発生した場合は、差分をとることにより、その成分を抽出することができる。
【００５６】
但し、この差分成分には、遅延補償の誤差やゲイン調整の誤差に起因する差分成分も含まれているので、単純に差分成分があるからといって、伝送路で混入したノイズと判断することはできない。そこで、本実施の形態では、発生の可能性のあるノイズパターン（切り替え条件）を予め登録しておき、このノイズパターンと差分信号のパターンとが一致した場合に、ノイズが発生したと判断する。
【００５７】
また、この時点では、現用信号と予備信号とのどちらにノイズ成分がふくまれていたのかが不明であるため、本実施の形態では、差分信号⇔現用信号、差分信号⇔予備信号の相関をとり、より相関の高い方にノイズが含まれていると判断する。
【００５８】
さらに、本実施の形態では、現用系の信号、予備系の信号、差分信号についてＦＦＴ（Ｆａｓｔ  Ｆｏｕｒｉｅｒ  Ｔｒａｎｓｆｏｒｍ）による周波数成分の分析を行い、周波数領域においてより相関の高い方にノイズが含まれていると判断することも可能である。
【００５９】
図３は本発明の実施の形態における５０Ｈｚ電源ノイズ混入時のノイズ検出動作例を示す図である。図３を参照して本発明の実施の形態における５０Ｈｚ電源ノイズ混入時のノイズ検出動作について説明する。
【００６０】
現用系の伝送信号に５０Ｈｚの電源ノイズが混入した場合、出力信号には元の信号＋５０Ｈｚの信号が出力される。この場合、上述した本発明に関連する入力断検知型のチェンジオーバ装置では、この５０Ｈｚの信号を検出することができないため、予備系への切り替えが行われず、そのまま出力されてしまう。
【００６１】
そこで、本実施の形態では、現用系信号を、予備系信号の位相に合わせ、その差分をとると、混入した５０Ｈｚの電源ノイズだけを抽出することが可能である。ノイズパターンとして５０Ｈｚのノイズを登録しておくと、差分信号のパターンと一致するため、ノイズが発生したものと判断される。
【００６２】
次に、本実施の形態では、このノイズが発生したのが現用系か予備系かを確認するために、ノイズ信号と現用系信号及び予備系信号との相関をとる。この例の場合、現用系に５０Ｈｚの電源ノイズ成分が含まれているので、ノイズ成分との相関をとると、現用系の信号の方が高い相関を示す。
【００６３】
この結果から現用系の信号に５０Ｈｚのノイズが混入していることを判断することができるので、本発明の実施の形態によるアナログ音声用チェンジオーバ装置１は、出力信号の予備系への切り替え動作を実行する。
【００６４】
本発明の実施の形態によるアナログ音声用チェンジオーバ装置１は、入力信号のノイズ検出機能を有するため、上述した本発明に関連する入力断検知型のチェンジオーバ装置では不可能であったノイズ混入による障害に対しても切り替え動作を行うことが可能となる。
【産業上の利用可能性】
【００６５】
本発明は、アナログラジオ放送の送信所、屋外中継システムに適用することが可能である。
【符号の説明】
【００６６】
１  アナログ音声用チェンジオーバ装置
１１，２０，３３，３６  バイパスリレー
１２，１５，２１，２４  振幅調整部
１３，１６，２２，２５  Ａ／Ｄ変換部
１４，１７，２３，２６  遅延調整部
１８，２７  差分回路
１９，２８  ノイズ検出器
２９  ノイズパターンマッチング部
３０  チェンジオーバ制御部
３１，３４  クロスフェード部
３２，３５  ケーブルドライバ
３７，３８  相関判定部
１０１  現用系Ｌｃｈ入力
１０２  予備系Ｌｃｈ入力
１０３  現用系Ｒｃｈ入力
１０４  予備系Ｌｃｈ入力
２０１  Ｌｃｈ出力
２０２  Ｒｃｈ出力
【図１】
2010193117.tif 000003
【図２】
2010193117.tif 000004
【図３】
2010193117.tif 000005